【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】  ワイヤレスリモートコントローラから送信されアドレスデータを含む制御信号を受信して、空気調和機の運転を制御する空気調和機の制御装置において、少なくとも第１の位置および、第２の位置を有するスイッチと、このスイッチが第１の位置にある際に前記ワイヤレスリモートコントローラから送信された制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする制御部とを備えたことを特徴とする空気調和機の制御装置。
【請求項２】  ワイヤレスリモートコントローラから送信されアドレスデータを含む制御信号を受信して、空気調和機の運転を制御する空気調和機の制御装置において、少なくとも第１の位置、第２の位置を有するスイッチと、このスイッチが第１の位置から第２の位置に変わった際に第１の位置で受信した制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする制御部とを備えたことを特徴とする空気調和機の制御装置。
【請求項３】  ワイヤレスリモートコントローラから送信されアドレスデータを含む制御信号を受信して、空気調和機の運転を制御する空気調和機の制御装置において、少なくとも第１の位置、第２の位置、第３の位置を有するスイッチと、このスイッチが第１の位置にある際に制御信号のアドレスデータに関わらずこの制御信号を有効にする第１の制御部と、このスイッチが第１の位置から第２の位置もしくは第３の位置に変わった際に第１の位置で受信した制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする第２の制御部と、前記スイッチが第３の状態にある際に空気調和機の運転を停止状態に保つ第３の制御部とを備えたことを特徴とする空気調和機の制御装置。
【請求項４】  ワイヤレスリモートコントローラから送信されアドレスデータを含む制御信号を受信して、空気調和機の運転を制御する空気調和機の制御装置において、少なくとも第１の位置、第２の位置、第３の位置を有するスイッチと、このスイッチが第１の
位置にある際に制御信号のアドレスデータに関わらずこの制御信号を有効にする第１の制御部と、このスイッチが第３の位置から第２の位置に変わった際に第１の位置で受信した制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする第２の制御部と、前記スイッチが第３の状態にある際に空気調和機の運転を停止状態に保つ第３の制御部とを備えたことを特徴とする空気調和機の制御装置。
【請求項５】  前記記憶部に格納されているアドレスデータが変更された際に前記記憶部に格納されたアドレスデータを表示する表示制御部を設けたことを特徴とする請求項１乃至請求項４のいずれかに記載の空気調和機の制御装置。
【請求項６】  前記表示制御部はアドレスデータの表示を既存の表示灯の点灯組み合わせで行うことを特徴とする請求項５に記載の空気調和機の制御装置。
【請求項７】  前記既存の表示灯は空気調和機の運転モードを示す表示灯と送風機の運転を示す表示灯であることを特徴とする請求項６に記載の空気調和機の制御装置。
【請求項８】  前記ワイヤレスリモートコントローラには制御信号に含めるアドレスデータを変更する機能が設けられていることを特徴とする請求項１乃至請求項７のいずれかに記載の空気調和機の制御装置。
【請求項９】  前記空気調和機は複数の室内ユニットと室外ユニットとからなる分離型の空気調和機であり、かつそれぞれの室内ユニットに前記スイッチが設けられていることを特徴とする請求項１乃至請求項８のいずれかに記載の空気調和機の制御装置。
【請求項１０】  前記ワイヤレスリモートコントローラ及び記憶部には予め同じアドレスデータが初期設定されていることを特徴とする請求項１乃至請求項９のいずれかに記載の空気調和機の制御装置。
【手続補正２】
【補正対象書類名】明細書
【補正対象項目名】０００７
【補正方法】変更
【補正の内容】
【０００７】
【課題を解決するための手段】
本発明は、ワイヤレスリモートコントローラから送信されアドレスデータを含む制御信号を受信して、空気調和機の運転を制御する空気調和機の制御装置において、少なくとも第１の位置および、第２の位置を有するスイッチと、このスイッチが第１の位置にある際に前記ワイヤレスリモートコントローラから送信された制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする制御部とを備えることにより、アドレスの設定を行う第１の位置と通常の運転が行われる第２の位置とを単一のスイッチで切り換えることができるので通常運転時に誤操作でアドレスが変わることを抑制できるものである。
【手続補正３】
【補正対象書類名】明細書
【補正対象項目名】００１０
【補正方法】変更
【補正の内容】
【００１０】
また本発明は、ワイヤレスリモートコントローラから送信されアドレスデータを含む制
御信号を受信して、空気調和機の運転を制御する空気調和機の制御装置において、少なくとも第１の位置、第２の位置、第３の位置を有するスイッチと、このスイッチが第１の位置にある際に制御信号のアドレスデータに関わらずこの制御信号を有効にする第１の制御部と、このスイッチが第３の位置から第２の位置に変わった際に第１の位置で受信した制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする第２の制御部と、前記スイッチが第３の状態にある際に空気調和機の運転を停止状態に保つ第３の制御部とを備えたことによりアドレスの設定を単一のスイッチの第３の位置から第２の位置への切り替わり時に行うので通常運転時に誤操作でアドレスが変わることを抑制できるものである。
【手続補正４】
【補正対象書類名】明細書
【補正対象項目名】００６１
【補正方法】変更
【補正の内容】
【００６１】
以上のように構成された空気調和機では、被調和室に室内ユニットを２台以上設置した時、室内ユニットＡのアドレスデータを初期値から変える際、まず対応するリモートコントローラＡ１のアドレスデータを「１０」に変更する。次いで、室内ユニットＡの切換スイッチ３６を「ＤＥＭＯ（第１位の位置）」に切り換えた後、リモートコントローラＡ１を操作して室内ユニットＡを運転させる。次いで、切換スイッチ３６を「停止（第３の位置）」へ切り換え、ＬＥＤ３１の点滅、ＬＥＤ３２の消灯から室内ユニットＡの記憶部にアドレスデータ「１０」が格納されたことを確認し、さらに切換スイッチ３６を「運転（第２の位置）」へ切換通常運転を開始する。以後、記憶されたアドレスデータに基づいて運転が行われるものである。